(57)【特許請求の範囲】
【請求項１】
一方材（４１又は４５）と他方材（５１乃至５５）とをつなぐ連結構造であって、
一方材（４１又は４５）に取り付ける留置具（１１乃至１６）と、
該留置具（１１乃至１６）と面接触するように配置し且つ他方材（５１乃至５５）に取り付ける密着具（２１乃至２６）と、
前記留置具（１１乃至１６）と前記密着具（２１乃至２６）を引き寄せ一体化するボルト（３１）と、
前記留置具（１１乃至１６）および前記密着具（２１乃至２６）を取り付けるネジ釘（６０）と、
を用い、
前記留置具（１１乃至１６）には、前記ボルト（３１）の軸部を差し込む中孔（３７）を設け、また前記密着具（２１乃至２６）には、該ボルト（３１）と螺合するメネジ（３４）を設け、
前記留置具（１１乃至１６）と前記密着具（２１乃至２６）のいずれとも、前記ネジ釘（６０）の軸部を差し込む釘孔（３３）と、該ネジ釘（６０）の頭部を収容するザグリ（３６）を設け、
前記一方材（４１又は４５）には、前記中孔（３７）と同心で両面を貫通する工具孔（４７）を設け、該工具孔（４７）の前記留置具（１１乃至１６）側には、前記ボルト（３１）の頭部を収容する大径穴（４８）を設け、
前記ボルト（３１）の軸部は、前記中孔（３７）を経て前記メネジ（３４）に螺合し、前記一方材（４１又は４５）と前記他方材（５１乃至５５）を連結し、
前記ネジ釘（６０）の頭部は、その浮き上がりを防止するため、前記密着具（２１乃至２６）または前記留置具（１１乃至１６）または他のネジ釘（６０）の頭部で押圧してあり、
前記留置具（１１乃至１６）と前記密着具（２１乃至２６）との接触面での滑りを防ぐため、この面の一方の側には凹部（３８）を設けてあり、他方の側には該凹部（３８）に嵌まり込む凸部（３５）を設けてあることを特徴とする連結構造。
【発明の詳細な説明】
【技術分野】
【０００１】
本発明は、木造建築において、柱や梁などの部材同士を一体化するための連結構造に関する。
【背景技術】
【０００２】
木造建築の骨格となる部材同士の連結方法は様々だが、位置精度や剛性を確保するため、ホゾをホゾ穴に嵌め込み、部材同士を強固に拘束することが多い。しかしホゾとホゾ穴の嵌め込みは、部材の加工や施工時の労力が増大するほか、断面欠損による強度低下などの課題があり、近年は各種金物を使用することも多い。金物は、部材に加工した丸穴やスリットなどに埋め込むため、断面欠損が必要最小限に抑制され、強度に優れる。また工作機械で製材を行い、あらかじめ金物を部材に取り付けておくことで、精度が向上するほか、施工時の作業時間も短縮する。
【０００３】
本願発明と関連する技術の例として、後記特許文献が挙げられる。特許文献１では、大規模な木造建築において、縦材と横材の二部材を一体化する連結金物が開示されている。この連結金物は、縦材に取り付ける基本金物と、横材に取り付ける付属金物を用い、それぞれの金物の端部には、テーパ部と受部を設け、一方のテーパ部を相手方の受部に差し込み、両金物を密着させる。なお両金物は、ラグスクリューとボルトを介し、縦材または横材に取り付ける。
【０００４】
特許文献２では、複数の部材を一体化する連結具が開示されている。この連結具は、ラグスクリューと埋設具とスタッドボルトなどで構成され、一方の部材にラグスクリューを埋め込み、他方の部材に埋設具を埋め込み、ラグスクリューと埋設具をスタッドボルトで引き寄せ、部材同士を一体化する。施工の際は、一方の部材にラグスクリューを埋め込み、次にスタッドボルトを介し、埋設具をラグスクリューに密着させ、埋設具を一方の部材から突出するように配置する。そして突出する埋設具に接着剤を塗布し、この埋設具を他方の部材に差し込み、接着剤を乾燥させ、両材を連結する。この連結具は、部材の表面に何らの痕跡も残らず、美観に優れる。
【先行技術文献】
【特許文献】
【０００５】
【特許文献１】特開２００７−１３２１６８号公報
【特許文献２】特開２０１２−７７５４５号公報
【発明の概要】
【発明が解決しようとする課題】
【０００６】
近年は、地場産品の販売所や飲食店など、大規模な商業施設に木造建築を導入するケースが増えており、その室内は、自然な雰囲気を醸し出すため、柱や梁などの部材を露出させることが多い。ただし部材同士の連結には、前記特許文献１のような大形金物を使用しているため、室内から容易に金物を視認することができ、自然な雰囲気を損ねている。この点については、前記特許文献２で開示した連結具のように、全体を部材の中に埋め込むことで解消できるが、特許文献２の連結具は用途が限られ、汎用性に乏しい。しかも接着剤を使用するため、施工時の手間も増大する。
【０００７】
そのほか、金物を部材と一体化するには、別途にボルトやネジ釘やドリフトピンなどが必要になる。ボルトは、部材の表面を押圧するため、ワッシャを組み込むなどの対策を講じるが、経年によるワッシャの陥没で緩みを生じる恐れがある。またドリフトピンについても、周囲の木材を押し広げ、緩みを生じる恐れがある。さらにボルトとネジ釘のいずれも、時間の経過と共に各部が徐々に変形し、その頭部が緩み、連結構造の剛性が低下しやすい。
【０００８】
本発明はこうした実情を基に開発されたもので、金物などの露出がなく美観に優れるほか、経年変形による緩みも抑制可能な連結構造の提供を目的としている。
【課題を解決するための手段】
【０００９】
前記の課題を解決するための請求項１記載の発明は、一方材と他方材とをつなぐ連結構造であって、一方材に取り付ける留置具と、該留置具と面接触するように配置し且つ他方材に取り付ける密着具と、前記留置具と前記密着具を引き寄せ一体化するボルトと、前記留置具および前記密着具を取り付けるネジ釘と、を用い、前記留置具には、前記ボルトの軸部を差し込む中孔を設け、また前記密着具には、該ボルトと螺合するメネジを設け、前記留置具と前記密着具のいずれとも、前記ネジ釘の軸部を差し込む釘孔と、該ネジ釘の頭部を収容するザグリを設け、前記一方材には、前記中孔と同心で両面を貫通する工具孔を設け、該工具孔の前記留置具側には、前記ボルトの頭部を収容する大径穴を設け、前記ボルトの軸部は、前記中孔を経て前記メネジに螺合し、前記一方材と前記他方材を連結し、前記ネジ釘の頭部は、その浮き上がりを防止するため、前記密着具または前記留置具または他のネジ釘の頭部で押圧してあり、前記留置具と前記密着具との接触面での滑りを防ぐため、この面の一方の側には凹部を設けてあり、他方の側には該凹部に嵌まり込む凸部を設けてあることを特徴とする連結構造である。
【００１０】
本発明は、住宅や商業施設などの木造建築において、骨格となる部材同士を連結するためのもので、あらゆる箇所での使用を想定しており、連結される二部材のうち、一方を一方材と称し、残る一方を他方材を称するものとする。なお一方材や他方材には、天然木のほか、各種集成材を用いることもできる。また、一方材と他方材の配置は自在で、二部材をＴ字状やＬ字状につなぐ場合のほか、平行に並ぶ二本の棒材を一体化し、大断面化することもできる。ただし構造上、二本の棒材の端面同士を一体化することはできない。
【００１１】
留置具と密着具は、二部材の境界に配置する一対の金属板である。そして留置具は一方材に固定し、対する密着具は他方材に固定し、留置具と密着具の表面同士を接触させ、双方を一体化することで二部材を連結する。したがって対になる留置具と密着具の外形は、原則として同一に揃える。ただし留置具と密着具の外形自体は、諸要因に応じて自在に決めることができ、丸形のほか長方形などでも構わない。なお一方材や他方材の表面には、留置具や密着具を埋め込むため、保持溝を加工することもある。
【００１２】
ボルトは、留置具と密着具を一体化し、双方の表面同士を隙間なく接触させるためのもので、留置具から密着具に向けて差し込む。したがって留置具には、ボルトの軸部を差し込むため、両面を貫通する中孔を形成し、対する密着具には、中孔と同心となる位置にメネジを形成する。なおボルトは、留置具と密着具だけに接触するため、締め付け後も部材を押圧することはない。そのほかボルトは、二部材の連結を実質的に担う部品で、要求される強度に応じ、一対の留置具と密着具に複数個使用することもある。
【００１３】
ネジ釘は、留置具や密着具を一方材や他方材に取り付けるためのもので、汎用品をそのまま使用して構わない。ただし強度を要求される箇所では、大径のものを用いる。なおネジ釘を差し込むため、留置具や密着具には、両面を貫通する釘孔を形成するほか、釘孔の入り口には、ネジ釘の頭部を収容するザグリを形成する。そのほかネジ釘は、一個の留置具や密着具に対し、複数本差し込むことを前提としており、さらにネジ釘の差し込み方向を意図的に変化させ（例えば「ハ」の字状）、引き抜き強度を向上させることもできる。
【００１４】
工具孔は、留置具と密着具を一体化するボルトを締め付ける工具を差し込むためのもので、一方材の両面を貫通する。本発明では、留置具から密着具に向けてボルトを差し込むため、必然的にボルトの頭部は、一方材の内部に食い込んでしまう。したがって一方材には、ボルトと同心になる位置に工具孔を加工し、そこに工具を差し込み、ボルトを締め付ける。なお工具孔の内径を必要最小限に留めるため、ボルトについては、その頭部に六角穴などのクボミを設けた物を用い、工具には棒レンチの使用が好ましい。
【００１５】
大径穴は、ボルトの頭部を収容するため、一方材の内部に加工する空洞で、工具孔の両端のうち、留置具と接触する方に配置する。本発明では、ボルトを一方材に埋め込むため、大径穴が必要不可欠だが、その大きさは、美観や部材の断面欠損を考慮し、必要最小限に留める。ただし施工時、ボルト先端を留置具の内部に引き込ませるため、一定の延長は必要である。
【００１６】
ネジ釘は、留置具や密着具から一方材や他方材に向けて差し込むが、その頭部は、密着具または留置具または他のネジ釘に接触させ、ネジ釘の浮き上がりを防止する。これを実現するため、ネジ釘の頭部は、留置具や密着具の表面と段差なく並ぶよう、ザグリの深さなどを調整する。なお、留置具や密着具の表面に対し、釘孔が斜方向に形成されている場合、その頭部を対向する密着具や留置具で押圧することは難しい。このような場合、対向するネジ釘を背中合わせで配置し、双方の頭部同士を接触させる。
【００１７】
このように、留置具や密着具をネジ釘で一方材や他方材に取り付けた上、留置具と密着具をボルトで引き寄せ、一方材と他方材を一体化することで、留置具と密着具とボルトとネジ釘の各部品が部材の内部に埋め込まれ、金属部品が外部に一切露出しないため、美観に優れる。しかも、ネジ釘の頭部を密着具などに接触させ、ネジ釘の浮き上がりを防止することで、経年などによる連結構造の緩みを抑制できる。
【００１８】
そのほか、留置具と密着具との間での滑りを防止するため、双方の接触面に何らかの凹凸を設ける。この凹凸は、せん断荷重の伝達に寄与するほか、留置具と密着具を一本のボルトだけで引き寄せる場合、留置具と密着具の回転を防ぐ役割も果たす。当然ながら、凹凸の形状や配置は、ネジ釘の差し込みなどに支障のない範囲で、自在に決めて構わない。
【発明の効果】
【００１９】
請求項１記載の発明のように、一方材と他方材との連結構造として、留置具と密着具とボルトとネジ釘を用い、留置具と密着具をネジ釘で一方材や他方材に取り付け、さらに留置具と密着具をボルトで引き寄せ、一方材と他方材を一体化することで、留置具と密着具とボルトとネジ釘の各部品を部材の内部に埋め込むことができ、金属部品が外部に一切露出しないため、美観に優れる。なお工具孔は、施工時に支障のない範囲で小さくすることで、美観に影響を与えることはなく、仮に工具孔に木片を詰め込むならば、痕跡を完全に消し去ることもできる。
【００２０】
さらにネジ釘の頭部は、密着具または留置具または他のネジ釘に接触させ、ネジ釘の緩みを防いでいる。そのため、経年による部材の収縮や、ネジ釘の軸部の伸びなどにより、留置具と一方材との境界や、密着具と他方材との境界に隙間が生じた場合でも、双方は緩みなく一体化した状態を維持する。この特性により、経年変形を生じた後や過大な荷重が作用した後も、連結構造の剛性低下が抑制され、安全性に優れている。加えて、留置具と密着具との接触面に凹部と凸部を設けることで、一方材と他方材が一体化した際、凹部に凸部が嵌まり込み、せん断荷重が大きい場合でも、滑りを防止することができる。
【図面の簡単な説明】
【００２１】
【図１】本発明による連結構造の具体例を示す斜視図で、木造建築の骨格となる一方材および他方材と称する二部材をＬ字状に連結することを想定している。
【図２】図１の留置具を柱に取り付け、さらに密着具を梁に取り付けた状態を示す斜視図である。
【図３】図２の柱と梁を連結した状態を示す斜視図で縦断面図である。
【図４】斜方向に伸びる登り梁の下端を柱に取り付ける連結構造を示す斜視図である。
【図５】図４の留置具を柱に取り付け、さらに密着具を登り梁に取り付けた状態を示す斜視図である。
【図６】図５の柱と登り梁を連結した状態を示す斜視図と縦断面図である。
【図７】図４と同様、斜方向に伸びる登り梁の下端を柱に取り付ける連結構造を示す斜視図だが、より大荷重が作用する箇所での使用を想定したものである。
【図８】図７の柱と登り梁を連結した状態を示す斜視図と縦断面図である。
【図９】本発明による連結構造を用い、木造トラスを組み上げる場合を示す斜視図である。
【図１０】図９の連結構造の詳細を示す斜視図である。
【図１１】本発明による連結構造を用い、平行に並ぶ二本の木材を一体化した接合材を構築する場合を示す斜視図である。
【図１２】図１１の連結構造の詳細を示す斜視図である。
【発明を実施するための形態】
【００２２】
図１は、本発明による連結構造の具体例で、木造建築の骨格となる一方材および他方材と称する二部材をＬ字状に連結することを想定している。なお一方材は直立する柱４１で、対する他方材は水平に伸びる梁５１で、双方を留置具１１と密着具２１とボルト３１とネジ釘６０で一体化する。そのうち留置具１１と密着具２１は、円形の金属板で直径や厚さは等しく、同心で配置し表面同士を接触させる。またボルト３１は、留置具１１と密着具２１を一体化するために使用する。そしてネジ釘６０は、留置具１１と密着具２１をそれぞれ柱４１と梁５１に取り付けるために使用する。
【００２３】
留置具１１と密着具２１は、柱４１や梁５１の内部に埋め込み可能な大きさで、柱４１の側面には、留置具１１を埋め込むための保持溝４６を加工してあり、同様に梁５１の端面には、密着具２１を埋め込むための保持溝５６を加工してある。いずれの保持溝４６、５６ともその深さは、埋め込まれる留置具１１や密着具２１の厚さと等しく、留置具１１と密着具２１が接触した際は、柱４１の側面と梁５１の端面も接触する。なお保持溝４６、５６の内径は、埋め込まれる留置具１１や密着具２１の外径より大きくしても構わないが、強度上の観点から、同一に揃えることもできる。
【００２４】
ネジ釘６０は、保持溝４６、５６に埋め込まれた留置具１１や密着具２１を柱４１や梁５１と一体化するために用いる。当然ながらネジ釘６０は、想定される荷重に基づき大きさや本数を決め、ここでは、留置具１１と密着具２１のいずれも、二本差し込んでいる。これに対応し、留置具１１や密着具２１には、ネジ釘６０の軸部を差し込む釘孔３３を形成してあり、釘孔３３の一端には、ネジ釘６０の頭部を収容するザグリ３６を形成してある。ザグリ３６により、差し込まれたネジ釘６０の頭部は、留置具１１や密着具２１の表面と段差なく並ぶ。
【００２５】
留置具１１と密着具２１は、一本のボルト３１で一体化する。そのため留置具１１には、ボルト３１の軸部を差し込むため、中孔３７を形成するほか、密着具２１には、ボルト３１と螺合するメネジ３４を形成してある。なおこの図のボルト３１は、六角穴付の物を使用しており、六角断面の棒レンチ３９で回転させる。また中孔３７とメネジ３４のいずれも、留置具１１や密着具２１の中心に位置している。そしてボルト３１の頭部を収容するため、柱４１の保持溝４６の奥面中心には、ボルト３１の頭部を収容する大径穴４８を加工してある。
【００２６】
大径穴４８は、ボルト３１の回転を妨げない内径で、しかも締め付け作業を考慮し、ボルト３１の先端を中孔３７に収容できる奥行きを確保してある。そして大径穴４８の奥面中央には、棒レンチ３９を差し込むため、工具孔４７を加工してある。工具孔４７は必然的に保持溝４６の反対面に貫通するが、その内径は、棒レンチ３９を差し込むだけの必要最小限として、美観の悪化を防いでいる。したがって内径の異なる工具孔４７と大径穴４８が同心で並ぶ。
【００２７】
そのほか、柱４１と梁５１の相対的なねじれを防止するため、留置具１１と密着具２１との接触面には、計四組の凹部３８と凸部３５を形成してある。なお凹部３８は留置具１１側で、凸部３５は密着具２１側である。凹部３８と凸部３５が嵌り込むことで、ねじれを防止するほか、せん断荷重の伝達を担う。この図の留置具１１は、釘孔３３が上下二箇所に並び、そこから離れた位置に凹部３８を形成してある。対して密着具２１は、釘孔３３が左右二箇所に並び、且つ凹部３８と揃う位置に凸部３５を形成してある。
【００２８】
図２は、図１の留置具１１を柱４１に取り付け、さらに密着具２１を梁５１に取り付けた状態を示している。図１の柱４１と梁５１を連結するのに先立ち、この図のように、留置具１１と密着具２１をそれぞれの保持溝４６、５６に埋め込み、これらをネジ釘６０で固定する。なお留置具１１に差し込むネジ釘６０は上下二本で、密着具２１に差し込むネジ釘６０は左右二本である。またボルト３１は、留置具１１を柱４１に取り付ける前、その頭部を大径穴４８に収容し、軸部を中孔３７に差し込む。
【００２９】
留置具１１や密着具２１の取り付けを終えると、留置具１１の表面は、柱４１の側面と段差なく並び、その中心の中孔３７からボルト３１の先端が突出している。ただしこの先端は、容易に押し込み可能で、全体を中孔３７に入り込ませることもできる。また密着具２１の表面は、梁５１の端面と段差なく並ぶ。ただし四箇所の凸部３５だけは、表面から突出する。そしてネジ釘６０の頭部は、留置具１１や密着具２１の表面と段差なく並ぶ。そのため柱４１側のネジ釘６０の頭部は、密着具２１の表面に接触し、梁５１側のネジ釘６０の頭部は、留置具１１の表面に接触する。
【００３０】
図３は、図２の柱４１と梁５１を連結した状態を示す。留置具１１と密着具２１は、柱４１や梁５１に完全に埋め込まれ、これらが一本のボルト３１で引き寄せられ、柱４１の側面と梁５１の端面が接触している。そして柱４１に差し込まれたネジ釘６０の頭部は、縦断面図のように、密着具２１に接触し拘束されている。そのため留置具１１とネジ釘６０は、変位不能に一体化しており、ネジ釘６０や部材が経年変形した場合でも、連結構造に緩みが生じない。なお梁５１に差し込まれたネジ釘６０の頭部についても、同様に留置具１１に接触し拘束されている。そのほか凸部３５と凹部３８が嵌り込み、せん断荷重を伝達するため、ボルト３１の負荷が軽減される。
【００３１】
留置具１１や密着具２１の取り付けは、製材所などで行うことを想定しており、現地では柱４１と梁５１を接近させ、凸部３５と凹部３８を嵌め込み、ボルト３１を締め付けると柱４１と梁５１の連結が完了し、作業性は良好である。なおボルト３１の締め付けは、図のようなＬ字形の棒レンチ３９のほか、各種電気工具も使用できる。そのほか、工具孔４７に柱４１と同種の木材を詰め込み、内部構造を完全に覆い隠すことも可能で、美観に優れる。
【００３２】
図４は、斜方向に伸びる登り梁５２の下端を柱４１に取り付ける連結構造を示している。この図においても、先の図１と同様、留置具１２や密着具２２は円形で、留置具１２を柱４１に取り付け、密着具２２を登り梁５２に取り付け、留置具１２と密着具２２をボルト３１で引き寄せる。ただし登り梁５２の長手方向にネジ釘６０を差し込むため、密着具２２の釘孔３３は、密着具２２の表面に対し交角を有する。そのためネジ釘６０を締め付けると、その頭部の約半分は、ザグリ３６から突出する。これに対応するため、留置具１２の釘孔３３についても、密着具２２側と交角を揃えてあり、しかも双方の釘孔３３は同心で揃い、背中合わせで対向するネジ釘６０の頭部同士が接触する。
【００３３】
留置具１２と密着具２２のいずれとも、その釘孔３３は、三個を横並びで配置してある。そのため、ボルト３１が差し込まれる中孔３７とメネジ３４は、上方一箇所に配置してあるほか、せん断荷重を伝達する凸部３５と凹部３８は、下方に一組配置してある。なお凸部３５と凹部３８は、図１とは逆の配置で、留置具１２の方が凸部３５となっている。このように凸部３５と凹部３８は、せん断荷重の伝達を担うならば、詳細は自在である。そのほか柱４１に加工する工具孔４７や大径穴４８は、中孔３７やメネジ３４の配置に対応するため、保持溝４６の中心ではなく、上方に偏っている。
【００３４】
図５は、図４の留置具１２を柱４１に取り付け、さらに密着具２２を登り梁５２に取り付けた状態を示している。図４の柱４１と登り梁５２を連結するのに先立ち、留置具１２と密着具２２を保持溝４６、５６に埋め込み、これらをネジ釘６０で固定する。全てのネジ釘６０は、登り梁５２の長手方向に伸びるため、釘孔３３は、留置具１２や密着具２２の表面に対し交角を有する。なおザグリ３６については、ネジ釘６０の頭部の半分だけが表面から突出するよう、深さを調整してある。したがって柱４１に差し込んだネジ釘６０の頭部は、その下半分が留置具１２の表面から突出し、対して登り梁５２に差し込んだネジ釘６０の頭部は、その上半分が密着具２２の表面から突出する。
【００３５】
ネジ釘６０は、登り梁５２に沿って斜方向に伸びている。しかしボルト３１は、水平方向に配置するほか、凸部３５は水平方向に突出する。そのため、ボルト３１や凸部３５がネジ釘６０と接触しないよう、各部の配置を決めている。さらに、ネジ釘６０が工具孔４７を塞いではならない。そのほか留置具１２は、柱４１の側面と段差なく並び、ネジ釘６０の頭部と凸部３５だけが突出する。同様に密着具２２は、登り梁５２の端面と段差なく並び、ネジ釘６０の頭部だけが突出する。
【００３６】
図６は、図５の柱４１と登り梁５２を連結した状態を示す。留置具１２と密着具２２は、柱４１や登り梁５２に完全に埋め込まれ、これらが一本のボルト３１で引き寄せられ、柱４１の側面と登り梁５２の端面が接触している。そしてネジ釘６０は、縦断面図のように、柱４１側と登り梁５２側が背中合わせで一直線に並び、双方の頭部が接触している。そのため、柱４１と登り梁５２に作用する圧縮荷重は、留置具１２や密着具２２のほか、ネジ釘６０でも受け止められ、登り梁５２の端面が柱４１の側面に陥没することを防止している。
【００３７】
図７は、図４と同様、斜方向に伸びる登り梁５２の下端を柱４１に取り付ける連結構造を示しているが、より大荷重が作用する箇所での使用を想定している。この図の留置具１３と密着具２３は、上下に伸びた長方形で、それぞれ釘孔３３は六箇所としてある。またボルト３１は、上下に二本使用する。そのため、工具孔４７やメネジ３４などは、上下に二組設けてある。そのほか、せん断荷重を伝達する凸部３５と凹部３８は、釘孔３３から離れた位置に四組設けてある。なおネジ釘６０は、先の図６と同様、柱４１側と登り梁５２側が背中合わせで一直線に並び、双方の頭部同士が接触する。
【００３８】
留置具１３や密着具２３は、保持溝４６、５６に埋め込まれ、施工後は完全に覆い隠される。またボルト３１を二本使用することで、引張荷重に対する強度が一段と向上するほか、曲げモーメントにも対抗できる。そのほか、ネジ釘６０がボルト３１などと接触しないよう、中孔３７やメネジ３４は、留置具１３や密着具２３の中心線上に配置し、釘孔６０は中心線から離して配置してある。
【００３９】
この図では、留置具１３や密着具２３を保持溝４６、５６に埋め込んでいるが、美観や結露などの問題が生じない場合、保持溝４６、５６を省略し、柱４１の側面や登り梁５２の端面にそのまま留置具１３や密着具２３を取り付けても構わない。ただしその場合でも、ネジ釘６０の頭部を何らかに接触させ、その浮き上がりを防止する点や、ボルト３１全体を内部に埋め込み、工具孔４７を介して締め付ける点は、変更できない。
【００４０】
図８は、図７の柱４１と登り梁５２を連結した状態を示す。留置具１３と密着具２３は、柱４１や登り梁５２に完全に埋め込まれ、これらが上下二本のボルト３１で引き寄せられ、柱４１の側面と登り梁５２の端面が接触している。なおこの図では一部省略しているが、ネジ釘は、柱４１側と登り梁５２側に六本ずつ差し込まれ、それらは図６の縦断面図と同様、対向する二本が背中合わせで一直線に並び、双方の頭部同士が接触している。本発明は、ネジ釘６０やボルト３１の本数を調整することで、様々な大きさの部材の連結に使用でき、汎用性や柔軟性にも優れる。
【００４１】
図９は、本発明による連結構造を用い、木造トラスを組み上げる場合を示している。この図の木造トラスは、二本の柱４１を平行に配置し、その間を結ぶように複数の水平材５３を等間隔で並べ、さらに柱４１と水平材５３で区画された中に斜材５４を取り付けた形状である。そして、水平材５３や斜材５４の端面を柱４１の側面に取り付けるため、本発明による連結構造を用いている。図９上方には、木造トラスの連結構造を拡大して描いてあり、ここでは水平材５３と斜材５４が上下に重なり、両材の端面が柱４１の側面に接触している。
【００４２】
図９の連結構造において、柱４１の側面には、水平材５３と斜材５４の端面が接触しており、水平材５３と斜材５４のそれぞれに一個の密着具２４、２５を取り付けてある。これらに対応し、柱４１の側面には、留置具１４、１５を上下に並べて取り付けてある。さらに、対になる留置具１４、１５と密着具２４、２５は、上下とも一本のボルト３１で引き寄せる。そのため柱４１の側面には、上下二箇所に工具孔４７を加工してある。そのほか、柱４１と水平材５３の連結に用いるネジ釘６０は、水平材５３の長手方向に沿って差し込むが、柱４１と斜材５４の連結に用いるネジ釘６０は、斜材５４の長手方向に沿って差し込み、双方で角度が異なる。
【００４３】
図１０は、図９の連結構造の詳細を示している。柱４１と水平材５３は、いずれも円形の留置具１４と密着具２４を介して一体化する。この留置具１４の中心には、ボルト３１を差し込む中孔３７を形成してあり、これを挟むように上下二箇所に釘孔３３を形成してあるほか、左右二箇所に凹部３８を形成してある。対する密着具２４の中心には、ボルト３１と螺合するメネジ３４を形成してあり、これを挟むように上下二箇所に釘孔３３を形成してあるほか、左右二箇所に凸部３５を形成してある。そのため留置具１４側と密着具２４側のネジ釘６０は、背中合わせで一直線に並び、双方の頭部同士が接触する。また凸部３５と凹部３８が嵌り込むことで、せん断荷重が伝達される。
【００４４】
次に柱４１と斜材５４は、いずれも円形の留置具１５と密着具２５を介して一体化する。この留置具１５の中心には、ボルト３１を差し込む中孔３７を形成してあり、これを挟むように左右二箇所に釘孔３３を形成してあるほか、上下二箇所に凹部３８を形成してある。対する密着具２５の中心には、ボルト３１と螺合するメネジ３４を形成してあり、これを挟むように左右二箇所に釘孔３３を形成してあるほか、上下二箇所に凸部３５を形成してある。なお、柱４１と斜材５４の連結に用いるネジ釘６０は、斜材の長手方向に沿って差し込む。そのため各釘孔３３は、留置具１５や密着具２５の表面に対し交角を有するが、ネジ釘６０が背中合わせで一直線に並び、双方の頭部同士が接触する点は、これまでと同じで、凸部３５と凹部３８が嵌り込む点も、これまでと同じである。
【００４５】
柱４１と水平材５３の連結に用いるネジ釘６０は、柱４１の中心線上に差し込む。対して柱４１と斜材５４の連結に用いるネジ釘６０は、柱４１の中心線から左右に離れた位置に差し込む。これは、差し込み方向の異なるネジ釘６０が柱４１の内部で接触することを防止するほか、斜方向に伸びるネジ釘６０が工具孔４７を通過することを防ぐためである。そのほか、留置具１４、１５と密着具２４、２５をボルト３１で引き寄せる点などは、これまでと同じである。
【００４６】
図１１は、本発明による連結構造を用い、平行に並ぶ二本の木材を一体化した接合材を構築する場合を示している。この図の接合材は、同一断面の前棒４５と後棒５５の側面同士を接触させ、本発明による連結構造で一体化したもので、一定の間隔で一対の留置具１６と密着具２６を配置する。この留置具１６と密着具２６は、上下に伸びた長方形で、前棒４５と後棒５５の接触面に加工された保持溝４６、５６に埋め込み、ネジ釘６０で取り付ける。ネジ釘６０は、一個の留置具１６や密着具２６に対し、六本差し込むが、抜け防止のため、前棒４５と後棒５５の接触面に対し、斜方向に差し込む。またボルト３１を締め付けるための工具孔４７は、前棒４５の側面に加工してある。そのほかネジ釘６０は、これまでの各図と同様、前棒４５側と後棒５５側が背中合わせで一直線に並び、双方の頭部同士が接触している。
【００４７】
図１２は、図１１の連結構造の詳細を示している。ここで使用する留置具１６と密着具２６のいずれとも長方形で、それぞれ六箇所に釘孔３３を形成してある。釘孔３３は、前棒４５や後棒５５の側面に対し交角を有し、しかも半数の方向を反転させ、ネジ釘６０をハの字状に差し込む構成で、引き抜き強度に優れている。また一対の留置具１６と密着具２６に対し、ボルト３１は二本使用しており、凸部３５と凹部３８は四組設けてある。そしてこの連結構造においても、外部に露出するのは工具孔４７だけで、美観に優れている。
【００４８】
これまでの各図に示すように、本発明は木造建築を構成するあらゆる部材同士の連結に使用可能で、留置具や密着具の形状は自在である。また留置具や密着具を取り付けるネジ釘６０は、その頭部を何らかの手段で押圧し、浮き上がりを防止できるならば、使用数や差し込み方向などは自在である。同様に、留置具と密着具を引き寄せるボルト３１についても、全体を内部に埋め込み、一方材に加工した工具孔４７から回転させるならば、使用数や配置などは自在である。
【符号の説明】
【００４９】
１１  留置具（丸形・凹部が四箇所）
１２  留置具（丸形・釘孔が左右三箇所）
１３  留置具（長方形・釘孔が六箇所で同一方向）
１４  留置具（丸形・釘孔が上下二箇所）
１５  留置具（丸形・釘孔が左右二箇所）
１６  留置具（長方形・釘孔が六箇所で二方向）
２１  密着具（丸形・凸部が四箇所）
２２  密着具（丸形・釘孔が左右三箇所）
２３  密着具（長方形・釘孔が六箇所で同一方向）
２４  密着具（丸形・釘孔が上下二箇所）
２５  密着具（丸形・釘孔が左右二箇所）
２６  密着具（長方形・釘孔は六箇所で二方向）
３１  ボルト
３３  釘孔
３４  メネジ
３５  凸部
３６  ザグリ
３７  中孔
３８  凹部
３９  棒レンチ
４１  柱（一方材）
４５  前棒（一方材）
４６  保持溝
４７  工具孔
４８  大径穴
５１  梁（他方材）
５２  登り梁（他方材）
５３  水平材（他方材）
５４  斜材（他方材）
５５  後棒（他方材）
５６  保持溝
６０  ネジ釘
【図１】
0006506038.tif 000002
【図２】
0006506038.tif 000003
【図３】
0006506038.tif 000004
【図４】
0006506038.tif 000005
【図５】
0006506038.tif 000006
【図６】
0006506038.tif 000007
【図７】
0006506038.tif 000008
【図８】
0006506038.tif 000009
【図９】
0006506038.tif 000010
【図１０】
0006506038.tif 000011
【図１１】
0006506038.tif 000012
【図１２】
0006506038.tif 000013